(57)【要約】【課題】  使い勝手がよく、組み付けが容易になる電子楽器を提供すること。【解決手段】  電子鍵盤装置１０を構成する上ケース１０ａに開口部１６ａを設け、この開口部１６ａから挿入口２１を表面に露呈させた状態で記憶媒体読み書き装置２０を上ケース１０ａ内に設けた。そして、記憶媒体読み書き装置２０との間で信号を送受信する回路基板２８を、記憶媒体読み書き装置２０とともに、ねじ２７ａ，２７ｂを用いて上ケース１０ａに固定した。また、上ケース１０ａには、穴部１９ａを備えた突部１９を設け、この突部１９の穴部１９ａにねじ２７ａ，２７ｂを螺合させることにより、記憶媒体読み書き装置２０と回路基板２８とを上ケース１０ａに固定した。【選択図】  図４
2005195918.tif 000002
【特許請求の範囲】
【請求項１】
記録媒体挿入口を備えた記憶媒体読み書き装置と、
開口部を有し、前記開口部から前記記憶媒体挿入口を表面に露呈させた状態で前記記憶媒体読み書き装置を取り付けることができるパネル部材と、
前記記憶媒体読み書き装置との間で信号を送受信する回路基板とを備え、
前記記憶媒体読み書き装置と前記回路基板との少なくとも１箇所以上の部分を、共通のねじを用いて前記パネル部材に固定したことを特徴とする電子楽器。
【請求項２】
前記パネル部材に取り付け台座を設け、前記取り付け台座に前記ねじを螺合させることにより、前記記憶媒体読み書き装置と前記回路基板とを前記パネル部材に固定した請求項１に記載の電子楽器。
【発明の詳細な説明】
【技術分野】
【０００１】
本発明は、記憶媒体読み書き装置を備えた電子楽器に関する。
【背景技術】
【０００２】
従来から、電子楽器、例えば、自動演奏ピアノの中には、演奏情報を記憶媒体に記憶させるための記憶媒体読み書き装置と、記憶媒体読み書き装置との間で信号を送受信する回路基板を備えたものがある（例えば、特許文献１参照）。このような電子楽器では、記憶媒体読み書き装置の本体部分は、電子楽器の本体を構成するケースと一体的に成形されるか、または、ねじによってケースに固定されている。そして、回路基板は、記憶媒体読み書き装置とは別に、ねじによってケースに固定されている。
【特許文献１】実開平５−７１８９３号公報
【発明の開示】
【０００３】
しかしながら、前述した従来の電子楽器のうち、記憶媒体読み書き装置の本体部分が、ケースと一体的に成形されたものでは、成形金型の型開き方向の関係上、パネルの構造に制限が生じて記憶媒体読み書き装置の位置や方向を自由に設定することができないという問題がある。このため、電子楽器が、演奏者にとって使い勝手が良くないものになりがちであった。例えば、電子楽器における記憶媒体の挿入口が上方を向いている場合には、挿入口から記憶媒体読み書き装置の内部に埃が入ってしまう等の問題が生じる。
【０００４】
また、記憶媒体読み書き装置を使い勝手のよい場所に設置するために、ケースと記憶媒体読み書き装置の本体部分とを別体からなる部材で構成すると、部品点数が多くなって、その組み付け工程が増えるとともに、位置調節の作業が増えて、組み立てに要する時間が長くなり、作業が面倒になるという問題がある。また、記憶媒体読み書き装置と回路基板との間を接続する接続ケーブルが長くなったり、その配置がし難くなったりするという問題もある。
【０００５】
本発明は、前述した問題に対処するためになされたもので、その目的は、使い勝手がよく、組み付けが容易になる電子楽器を提供することである。
【０００６】
前述した目的を達成するため、本発明にかかる電子楽器の構成上の特徴は、記録媒体挿入口を備えた記憶媒体読み書き装置と、開口部を有し、開口部から記憶媒体挿入口を表面に露呈させた状態で記憶媒体読み書き装置を取り付けることができるパネル部材と、記憶媒体読み書き装置との間で信号を送受信する回路基板とを備え、記憶媒体読み書き装置と回路基板との少なくとも１箇所以上の部分を、共通のねじを用いてパネル部材に固定したことにある。
【０００７】
このように構成した本発明の電子楽器においては、記憶媒体読み書き装置の本体部分を構成する部材をパネル部材と別体で構成し、記憶媒体読み書き装置と回路基板とを共通のねじを用いて、パネル部材に固定している。したがって、記憶媒体読み書き装置の本体部分の形状、パネル部材への取り付け位置および取り付け方向等に自由度が増すようになり、各部材の成形性がよくなるとともに、電子楽器を使い勝手のよい構造に形成することができる。また、記憶媒体読み書き装置や回路基板を固定するためのねじが少量で済むとともに、組み付け作業が容易になる。ここで、記憶媒体読み書き装置の本体部分とは、外郭部や基部を構成する部材である。
【０００８】
また、この場合、同じねじを利用して、記憶媒体読み書き装置と回路基板とがパネル部材の所定部分に固定された部分が少なくとも１箇所以上あるようにする。これによると、記憶媒体読み書き装置と回路基板との共通のねじによって固定できる部分だけをそのねじで固定し、他の固定が必要な部分は、それぞれ他のねじ等で固定するようになるため、記憶媒体読み書き装置と回路基板とを相手の形状に合わせて形成する必要がなくなる。このため、記憶媒体読み書き装置と回路基板とをそれぞれの機能等に応じた形状に形成することができる。
【０００９】
また、本発明にかかる電子楽器の他の構成上の特徴は、パネル部材に取り付け台座を設け、取り付け台座にねじを螺合させることにより、記憶媒体読み書き装置と回路基板とをパネル部材に固定したことにある。これによって、電子楽器をユニット化して組み立てやすくなる。また、この場合、取り付け台座は、パネル部材と一体成形により形成された円筒状の突起等で構成し、内部にねじ係止用の段部を設けることが好ましい。これによって、部品点数が増加することを防止できるとともに、回路基板の取り付け位置の寸法精度がよくなる。また、位置調節が容易になり組み立て作業が容易になる。
【発明を実施するための最良の形態】
【００１０】
以下、本発明の一実施形態に係る電子楽器を図面を用いて説明する。図１は、同実施形態にかかる電子楽器としての電子鍵盤装置１０を示している。この電子鍵盤装置１０の上面における前部側（演奏者側）には、それぞれ複数の白鍵１１ａと黒鍵１１ｂとからなる鍵盤１１が設置され、後部側中央部分には後部パネル部１２が形成されている。そして、電子鍵盤装置１０の後部両側部分には、スピーカー１３ａ，１３ｂが設けられている。
【００１１】
すなわち、この電子鍵盤装置１０の装置本体は、本発明のパネル部材としての上ケース１０ａと下ケース１０ｂとで構成されている。上ケース１０ａは、前部に鍵盤１１を露呈するための大きな開口部１４ａが形成され、後部両側にスピーカー１３ａ，１３ｂが発生する音を遮蔽することなく外部に発散させるための開口部１４ｂ，１４ｃが形成された枠体で構成されている。そして、開口部１４ｂ，１４ｃには、網部材が張り付けられている。また、上ケース１０ａの後部側中央に形成された後部パネル部１２の中央には窓部１４ｄが設けられている。そして、後部パネル部１２の窓部１４ｄには表示パネル１２ａが設置されその両側に各種の操作子１２ｂやスイッチ１２ｃなどが設けられている。また、上ケース１０ａおよび下ケース１０ｂは、それぞれ樹脂材料を一体成形により成形して構成されている。
【００１２】
また、電子鍵盤装置１０の上面における後端部中央には、譜面立て１５が起立状態で設けられている。そして、上ケース１０ａにおける開口部１４ａの後部側部分は後方側が高くなった傾斜面１６に形成され、傾斜面１６における中央よりもやや右側部分に、本発明に係る開口部１６ａが形成されている。この開口部１６ａには、記憶媒体読み書き装置２０が、挿入口２１を表面に露呈させて設置されている。挿入口２１は、スマートメディア（図示せず）等のカードからなる記憶媒体を記憶媒体読み書き装置２０内に挿入するための開口である。
【００１３】
また、図２に示すように、下ケース１０ｂの上面（電子鍵盤装置１０の内部側）における前部には鍵盤１１が設置され、後部両側には、それぞれスピーカー１３ａ，１３ｂが設置されている。そして、下ケース１０ｂの上面における後部側部分に上方に向って突出した枠状リブ部１７が格子状に形成され、その枠状リブ部１７に沿って、本発明に係る取り付け台座を構成するボス状の突部１８が所定間隔で形成されている。
【００１４】
各突部１８は、それぞれ先細りになった円筒状に形成され、内部にねじを係止するための段部（図示せず）が形成されている。また、各突部１８の先端側部分にはそれぞれねじを係合させるための穴部１８ａが形成されている。また、図３に示すように、上ケース１０ａの下面（図３は上ケース１０ａの上下を反転させた状態を示している。）にも、ねじを係合させるための穴部１９ａが設けられた円筒ボス状の突部１９が所定間隔で設けられている。そして、図４に示したように、傾斜面１６における開口部１６ａの両側部分に突部からなる係合部１７ａ，１７ｂが形成されている。
【００１５】
記憶媒体読み書き装置２０は、図５に示したように構成されており、挿入口２１を備えた本体２２と回路基板２３とを備えている。本体２２は、樹脂材料を成形して構成されており、中央に位置する挿入部２４と挿入部２４の両側に一体的に設けられた取り付け部２５，２６とで構成されている。挿入部２４は、底面部２４ａと、底面部２４ａの後端縁部から上方に延びる略垂直面部２４ｂと、底面部２４ａと略垂直面部２４ｂの両側に位置する略三角形の側面部２４ｃ，２４ｄとで構成されている。そして、挿入部２４の前面は、上ケース１０ａの傾斜面１６に沿った枠状の傾斜面に形成され、その中央部は凹部になっている。
【００１６】
挿入口２１は、側面部２４ｃ，２４ｄの対向する内面側部分における前面中央から略垂直面部２４ｂの後面に向かって水平に貫通して設けられた横長のスリットで構成されている。そして、図６に示したように、挿入部２４の後面における挿入口２１の下側の縁部に沿って挿入口２１に挿入される記憶媒体をガイドするための支持板部２４ｅが形成されている。
【００１７】
取り付け部２５は、全体形状が略長方体に形成され、上面前部における挿入部２４側部分に凹部２５ａが形成され、上面後部における外側部分に凸部２５ｂが形成されている。そして、凹部２５ａの中央に上下に貫通するねじ穴２５ｃが形成され、凸部２５ｂの中央に上下に貫通するねじ穴２５ｄが形成されている。また、取り付け部２５の上面における挿入部２４側部分には、位置決め用の突起２５ｅとねじ穴２５ｆとが並んで形成され、取り付け部２５の前面における略中央部分には、上下に延びる位置決め片２５ｇが前側に突出して形成されている。
【００１８】
取り付け部２６は、取り付け部２５を左右対称にしてその左右方向の長さをやや短くした形状に形成されており、取り付け部２５が備える各部分に対応する位置に、それぞれ、凹部２６ａ、凸部２６ｂ、ねじ穴２６ｃ，２６ｄ、位置決め用の突起２６ｅ、ねじ穴２６ｆおよび位置決め片２６ｇ（取り付け部２６の前面における外側部分に設けられている。）が形成されている。取り付け部２５，２６が備えるそれぞれのねじ穴２５ｃ，２６ｃ等は、本体２２を上ケース１０ａに組み付けた際に、突部１９に対向するように形成されている。
【００１９】
また、係合部１７ａ，１７ｂは、上ケース１０ａにおける記憶媒体読み書き装置２０の取り付け位置に設けられており、位置決め片２５ｇ，２６ｇと係合可能になっている。したがって、本体２２の上ケース１０ａへの組み付けは、図４の状態から、位置決め片２５ｇ，２６ｇを、上ケース１０ａの係合部１７ａ，１７ｂに係合させ、図４および図５に示したねじ２７ａ，２７ｂと同じねじを、それぞれ対応するねじ穴２５ｃ，２６ｃ等と突部１９の穴部１９ａとに係合させることにより行える。図３は、記憶媒体読み書き装置２０を上ケース１０ａに取り付けた状態を示している。
【００２０】
回路基板２３は、本体２２の挿入口２１から挿入される記憶媒体の情報を読み取るための読取センサ等を備えた基板で構成されており、突起２５ｅ，２６ｅと係合可能な位置決め用の穴部２３ａ，２３ｂおよびねじ穴２５ｆ，２６ｆに対向するように形成された２個のねじ穴２３ｃ（一方のねじ穴は図示せず。）を備えている。そして、この回路基板２３は、穴部２３ａを突起２５ｅに係合させるとともに、穴部２３ｂを突起２６ｅに係合させ、ねじ穴２５ｆ，２６ｆにそれぞれ対応するじ穴２３ｃを合わせてねじ２７ｃ，２７ｄで固定することにより本体２２に取り付けられている。この場合、ねじ２７ｃ，２７ｄは、対応する突部１９の穴部１９ａにも係合して、本体２２とともに回路基板２３も上ケース１０ａに固定している。
【００２１】
また、回路基板２３には接続端子２３ｄが設けられている。そして、回路基板２３の上方には、記憶媒体読み書き装置２０との間で信号の送受信を行う本発明に係る回路基板２８および回路基板２９が設置されている。この回路基板２８，２９は、後部パネル部１２に設置された表示パネル１２ａや各種の操作子１２ｂやスイッチ１２ｃなどの信号処理を行う。また、この回路基板２８，２９の前部両側部分には、それぞれ上下に貫通するねじ穴２８ａ，２８ｂおよびねじ穴２９ａ，２９ｂが形成されている。さらに、回路基板２９には、回路基板２３の接続端子２３ｄと接続可能な接続端子２９ｃが設けられている。
【００２２】
そして、回路基板２８の前端部は、ねじ穴２８ａとねじ穴２５ｄとにねじ２７ａを係合させるとともに、ねじ穴２８ｂとねじ穴２６ｄとにねじ２７ｂを係合させて、記憶媒体読み書き装置２０に固定されている。また、ねじ２７ａ，２７ｂは、対応する突部１９の穴部１９ａにも係合して回路基板２８を記憶媒体読み書き装置２０とともに、上ケース１０ａに固定している。また、回路基板２８の後部側部分にもねじ穴（図示せず）が設けられており、このねじ穴を介して、回路基板２８の後部側部分は、対応する突部１９に固定されている。回路基板２９も所定のねじを介して上ケース１０ａの対応する突部１９に固定されている。
【００２３】
また、下ケース１０ｂには、メイン制御回路、音源回路および入出力回路等を構成する回路基板（図示せず）が設置されている。この回路基板の所定部分には、ねじ穴が設けられ対応する突部１８にねじによって固定されている。また、回路基板２３等には、それぞれ接続端子２３ｄ，２９ｃと同様の接続端子が設けられており、それぞれ所定の回路基板２３等は接続ケーブルを介して接続端子を他の回路基板の接続端子に接続することにより互いに接続されている。また、上ケース１０ａと下ケース１０ｂも所定の突部１８，１９の穴部１８ａ，１９ａにねじを係合させることにより互いに固定されている。この場合、上ケース１０ａと下ケース１０ｂには、それぞれ所定の部材を取り付けておき、その状態のケース１０ａと下ケース１０ｂとをねじにより固定する。
【００２４】
この構成において、電子鍵盤装置１０を演奏するときには、電源スイッチをオン状態にして、各種の操作子１２ｂやスイッチ１２ｃを操作するとともに、鍵盤１１の白鍵１１ａと黒鍵１１ｂとを順次押鍵操作することによりメロディーや伴奏等の楽音を発音させる。また、その際、挿入口２１から各種の情報が記憶された記憶媒体を挿入し、その情報を回路基板２３で読み取ることにより、表示パネル１２ａに、その情報に基づいた音符や歌詞を表示させることができる。このため、演奏者は、表示パネル１２ａを見ながら演奏したり、歌を歌いながら演奏したりすることができる。
【００２５】
このように、本実施形態による電子鍵盤装置１０では、記憶媒体読み書き装置２０の本体２２を上ケース１０ａと別体で構成し、記憶媒体読み書き装置２０と回路基板２８とをねじ２７ａ，２７ｂを用いて、上ケース１０ａに固定している。したがって、ねじが少量で済むとともに、記憶媒体読み書き装置２０の上ケース１０ａへの組み付け作業が容易になる。また、本体２２は、挿入口２１が水平方向になるように配置されているため、挿入口２１に埃等が溜まることがなく、記憶媒体の出し入れの操作もし易くなる。
【００２６】
また、本体２２は、上ケース１０ａと別に成形されるため、複雑な構造に設定してもその成形が容易になる。また、共通のねじ２７ａ，２７ｂを利用して、記憶媒体読み書き装置２０と回路基板２８とが上ケース１０ａに固定されるのは、回路基板２８の前端部だけであるため、記憶媒体読み書き装置２０と回路基板２８とを相手の形状に合わせて形成する必要がなく、記憶媒体読み書き装置２０と回路基板２８とをそれぞれの機能等に応じた形状にすることができる。
【００２７】
また、本実施形態による電子鍵盤装置１０では、上ケース１０ａに、穴部１９ａを備えた突部１９を設けるとともに、下ケース１０ｂに穴部１８ａを備えた突部１８を設け、この突部１８，１９にねじ２７ａ，２７ｂ等を係合させることにより各部材同士を固定している。このため、電子鍵盤装置１０をユニット化して組み立てやすくなる。また、これによって、各部材の取り付け位置の寸法精度がよくなるとともに、位置調節が容易になり精度のよい組み立てが可能になる。さらに、突部１８，１９の内部には、ねじを係止するための段部が設けられているため、ねじ２７ａ，２７b等を突部１８，１９の奥まで入れることができ、ねじ２７ａ，２７b等の長さを短く設定することができる。これによって、各部材間の取り付け強度が強固になる。
【００２８】
また、本発明は、前述した実施形態に限定するものでなく、適宜、変更実施が可能である。例えば、前述した実施形態では、記憶媒体読み書き装置２０の本体２２には、回路基板２３と回路基板２８とをねじ２７ａ，２７ｂ等を用いて固定しているが、さらに回路基板２９等の他の回路基板をねじ穴２５ｃ，２６ｃを用いて本体２２に固定することができる。また、記憶媒体読み書き装置を大きくして、さらに他の回路基板を一緒に上ケースに取り付け可能にしたり、回路基板全体を固定できるようにしたりすることもできる。
【００２９】
また、前述した実施形態では、記憶媒体読み書き装置２０を上ケース１０ａに固定しているが、記憶媒体読み書き装置２０を下ケース１０ｂに固定してもよい。さらに、ねじ２７ａ，２７ｂ等に螺合可能なナットを用いて、ねじ２７ａ，２７ｂ等の頭部とナットとで各部材の固定部を挟むようにしてもよい。また、突部１８，１９も円筒状に限らず、平面状の台部等で構成することもできる。さらに、前述した実施形態では、電子楽器を電子鍵盤装置１０としたが、本発明による電子楽器は、これに限るものでなく、記憶媒体読み書き装置と回路基板とを備えた電子楽器であればよい。
【図面の簡単な説明】
【００３０】
【図１】本発明の一実施形態に係る電子鍵盤装置を示す斜視図である。
【図２】下ケースの上面を示す斜視図である。
【図３】上ケースの下面を示す斜視図である。
【図４】上ケースに記憶媒体読み書き装置を取り付ける状態を示す概略図である。
【図５】記憶媒体読み書き装置に回路基板を取り付ける状態を示す斜視図である。
【図６】記憶媒体読み書き装置の本体を後方から見た状態を示す斜視図である。
【符号の説明】
【００３１】
１０…電子鍵盤装置、１０ａ…上ケース、１０ｂ…下ケース、１６ａ…開口部、１８，１９…突部、１８ａ，１９ａ…穴部、２０…記憶媒体読み書き装置、２１…挿入口、２２…本体、２３，２８…回路基板、２３ｃ，２８ａ，２８ｂ…ねじ穴、２４…挿入部、２７ａ，２７ｂ…ねじ。
【図１】
2005195918.tif 000003
【図２】
2005195918.tif 000004
【図３】
2005195918.tif 000005
【図４】
2005195918.tif 000006
【図５】
2005195918.tif 000007
【図６】
2005195918.tif 000008